【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
作業表面にわたる摺動のために適切な下面を有する基部と、
尾根状部と、前記尾根状部は前記基部から略上方に突出し、かつ、前記尾根状部の第１側面上に親指係合表面を有することと、
前記親指係合表面に対応付けられた親指保持部分と、
前記尾根状部の前記第１側面に対向する第２側面上に、少なくとも１つの人差し指先端係合表面、及び中指先端係合表面の少なくとも一方とを備える、コンピュータポインティングデバイス。
【請求項２】
少なくとも１つの接触センサと、
作業表面に相対したデバイスの移動を検出し、デバイス移動量情報を生成することが可能な移動量センサシステムと、
デバイス移動量情報及び接触センサ信号をコンピュータ及び関連するディスプレイスクリーンに通信して、それぞれ、オンスクリーンポインタ移動及び入力コマンド信号を前記コンピュータへ提供することが可能な通信手段とを備える、請求項１に記載のデバイス。
【請求項３】
前記下面は、ほぼ平坦であるか、又は、１つ以上の凸状部分を有するように構成される請求項１に記載のデバイス。
【請求項４】
前記デバイスは、複数の接触点にて支持されている前記作業表面上に載置可能であるように構成され、前記複数の接触点は集合的に接触平面を画定し、前記接触点は、
前記下面の１つ又は複数の部分、及び、前記デバイスから延伸する少なくとも２つの突出部の先端部、又は、
少なくとも３つの前記突出部、のいずれかを含む、請求項１に記載のデバイス。
【請求項５】
前記親指係合表面の少なくとも一部は、上方を面し、接触センサの作動中に、ユーザがデバイスを安定させるために下方を指向して圧力を加えることを可能にさせる、請求項２に記載のデバイス。
【請求項６】
前記親指係合表面及び前記人差し指先端係合表面は、デバイスが、ユーザの親指と人差し指との間でペンを持つ握り方で把持されるように、空間的に配列され、分離される、請
求項１に記載のデバイス。
【請求項７】
親指保持部分は、
前記尾根状部に対して前記親指係合表面の対向する側面上に配置されるリップ、隆起部、突出部、又は持ち上がった縁部分と、
親指係合表面の縁に沿って配置され、親指係合表面に当たって位置決めされた親指のある部分を少なくとも部分的に覆い、又は重なるように構成された細長い隆起部と、
親指係合表面の上部縁及び／又は下部縁に沿って配置され、親指係合表面に当たって位置決めされた親指のある部分を少なくとも部分的にオーバハングする／オーバラップするように構成された少なくとも部分的に弾性のある細長い隆起部と、
遠位指骨親指部分を保持する凹所と、
親指中手骨領域を包む保持用要素、クリップ、又はストラップと、
挿入される親指部分を収容することが可能な細長い開口と、
親指指骨の１つ又は複数の部分の周りに着脱自在に固定されることが可能なクリップ、ストラップなどと、
弾性であること、可撓性であること及び、摩擦が大きいことのうちの少なくとも１つの特性を有する表面と、のうちのいずれか１つを含む請求項１に記載のデバイス。
【請求項８】
前記通信手段は、ワイヤレス無線送信機、赤外線送信機、導電性リード線、音響送信機、及び磁界からなる群から選択される、請求項２に記載のデバイス。
【請求項９】
前記移動量センサシステムは、電気光学センサ、電気機械ローラセンサ、移動式コイル及び磁界乱れセンサ、又は超音波三角測量のうちのいずれか１つを含む請求項２に記載のデバイス。
【請求項１０】
作業表面にわたる摺動のために適切な下面を有する基部と、
尾根状部と、前記尾根状部は前記基部から略上方に突出し、かつ、前記尾根状部の第１側面上に親指係合表面を有することと、
前記尾根状部の前記第１側面に対向する第２側面上に、少なくとも１つの人差し指先端係合表面、及び中指先端係合表面の少なくとも一方とを備えるコンピュータポインティングデバイスであって、
前記デバイスは、複数の接触点にて支持されている前記作業表面上に載置可能であるように構成され、前記複数の接触点は集合的に接触平面を画定し、前記接触点は、
前記下面の１つ又は複数の部分、及び、前記デバイスから延伸する少なくとも２つの突出部の先端部、又は、
少なくとも３つの前記突出部、のいずれかを含む、コンピュータポインティングデバイス。
【請求項１１】
ポインティングデバイスにインタフェースすることが可能なコンピュータであって、
少なくとも１つのディスプレイスクリーンと、
キーボードと、
前記ポインティングデバイスからデバイス移動量情報及び接触センサ信号を受け取って、それぞれ、オンスクリーンポインタ移動及び入力コマンド信号を提供するようにポインティングデバイスと通信することが可能なコンピュータ通信手段と、
前記マウスデバイスを収容するために適切な凹所とを含むコンピュータ。
【請求項１２】
移動可能で弾性的に付勢される凹所床部分であって、押下されて、デバイスを前記凹所内に着脱自在に受け入れることが可能な、請求項１１に記載のコンピュータ。
【請求項１３】
移動可能で弾性的に付勢される凹所床部分であって、コンピュータ及びキーボードハウ
ジングにヒンジで取り付けられたスクリーンディスプレイの開放と閉鎖に、それぞれ、関連して、持ち上がった位置と凹んだ位置との間を可逆的に移動することが可能な、移動可能で弾性的に付勢される凹所床部分を含む請求項１１に記載のコンピュータ。
【請求項１４】
請求項２に記載のポインティングデバイスにインタフェースすることが可能なコンピュータであって、
少なくとも１つのディスプレイスクリーンと、
キーボードと、
前記ポインティングデバイスからデバイス移動量情報及び接触センサ信号を受け取って、それぞれ、オンスクリーンポインタ移動及び入力コマンド信号を提供するようにポインティングデバイスと通信することが可能なコンピュータ通信手段とを備え、
前記キーボードは１つ又は複数のキーボードキーを有し、前記１つ又は複数のキーボードキーは、前記キーボードキーに対して変更された外観を表示し、また、１つ又は複数の接触センサのユーザによる作動に応答して、独特の入力機能を提供するように再マッピングされることが可能な構成可能な部分を含む、コンピュータ。
【請求項１５】
前記キーボードは、人差し指先端又は中指先端接触センサを作動させることが、前記変更された外観を作動させるように構成される請求項１４に記載のコンピュータ。
【請求項１６】
前記構成可能な部分は、照明可能な部分、ＬＣＤディスプレイ、電気光学ディスプレイのうちの１つ以上を含む請求項１４に記載のコンピュータ。
【請求項１７】
前記キーボードのキーは、ナビゲーションキーの外観を表示するか、又は、前記ナビゲーションキーに再マッピングされるように構成される請求項１４に記載のコンピュータ。
【請求項１８】
前記キーボードのナビゲーションキーは、前記デバイスを動作させるユーザの手に対して、ユーザのきき手でない手の側及び対向する手の側のうちの少なくとも一方のキーボード上に配置される請求項１７に記載のコンピュータ。
【請求項１９】
請求項２に記載のポインティングデバイスにインタフェースすることが可能なコンピュータであって、
少なくとも１つのディスプレイスクリーンと、
キーボードと、
前記ポインティングデバイスからデバイス移動量情報及び接触センサ信号を受け取って、それぞれ、オンスクリーンポインタ移動及び入力コマンド信号を提供するようにポインティングデバイスと通信することが可能なコンピュータ通信手段とを備え、
前記キーボードはスクリーンディスプレイ上で仮想的に生成される、コンピュータ。
【請求項２０】
前記スクリーンディスプレイはタッチスクリーンディスプレイである請求項１９に記載のコンピュータ。
【請求項２１】
前記キーボードは、親指接触センサのユーザによる作動によって、仮想的に生成される請求項１９に記載のコンピュータ。
【請求項２２】
前記キーボードは、半透明であり、また、人差し指又は中指接触センサが作動するまで、スクリーン上に残る、請求項１９に記載のコンピュータ。
【請求項２３】
ポインティングデバイスからの入力とコンピュータへの入力コマンド信号とを有したコンピュータのためのディスプレイスクリーン制御方法であって、前記入力は、オンスクリーンポインタ移動を生成するための、接触センサ信号及びデバイス移動量情報のうちの少
なくとも一方を含み、前記デバイス移動量情報は作業表面に相対したデバイスの移動から検出され、前記入力は、オンスクリーンポインタ移動を生成するための、接触センサ信号及びデバイス移動量情報のうちの少なくとも一方を含み、
前記接触センサ入力信号は、
タッチ接触、
タッチ及び保持（本明細書では、「タッチホールド」又は「タッチ」入力として示される）、
タッチ及びユーザ接触からの開放（本明細書では、「ソフトクリック」入力として示される）、
タッチ及びクリック作動及びクリック作動位置からの開放（本明細書では、「クリック」又は「ハードクリック」入力として示される）、及び／又は、
タッチ及びクリック作動及びクリック作動位置における保持（本明細書では、「クリック選択」又は「ハードクリック選択」入力として示される）のうちのいずれか１つによって生成される、方法。
【請求項２４】
親指接触センサのユーザによる作動は、仮想オンスクリーンキーボードを生成する請求項２３に記載の方法。
【請求項２５】
キーボードは、半透明であり、また、人差し指又は中指接触センサが作動するまで、スクリーン上に残る請求項２４に記載の方法。
【請求項２６】
前記デバイスは、
前記下面が作業表面に非平行であるように前記デバイスを傾斜させること、
デバイスから突出する少なくともニブ部分の周りに前記デバイスを傾斜させること、
デバイスから突出するニブ部分内で接触センサ又は近接センサを作動させること、
前記デバイス又は前記コンピュータ上で専用スイッチを作動させることのうちの少なくとも１つを含む、ユーザによる所定の入力の作動によって、デジタルインクモードで動作する請求項２３に記載の方法。